(57)【要約】【課題】  入れ物から上側に離した状態で安定させて保持し、直接入れ物に擦り下ろすことができる脚付き野菜擦り下ろし器を提供する。【解決手段】  上記課題を解決するために、本発明は表面に亘って配置された複数の刃を有する台座部と、該台座部の下側に形成された脚部と、該台座部の側面外部方向に伸長して形成された把持部とで構成された脚付き野菜擦り下ろし器を提供する。【選択図】    図１
2005088181.tif 000002
【特許請求の範囲】
【請求項１】
表面に亘って配置された複数の刃を有する台座部と、該台座部の下側に形成された脚部と該台座部の側面外側に伸張して形成された把持部とで構成された脚付き野菜擦り下ろし器。
【請求項２】
台座部に脚部と把持部を取り付けた請求項１に記載の脚付き野菜擦り下ろし器。
【請求項３】
脚部と把持部を板状又は棒状部材で連結して、台座部を乗せる構造とした請求項１に記載の脚付き野菜擦り下ろし器。
【請求項４】
台座部の端部に斜め下方又は下方に伸びる板状または棒状部材から成る液止め部を形成した請求項１〜３のいずれかに記載の脚付き野菜擦り下ろし器。
【請求項５】
少なくとも台座部の片側に一つ、そして台座部の反対側に一つ、又は把持部に一つ、脚部を形成した請求項１〜４のいずれかに記載の脚付き野菜擦り下ろし器。
【請求項６】
板状又は棒状の部材からなる脚部の軸線を台座部の上面又は上面の延長線に対して外側に開いて形成し、その際、少なくとも脚部端部の内側が、脚部の上部に位置する台座部又は／及び把持部の先端部を通る台座部の上面の延長線と直交する線よりも外側に形成されている請求項５に記載の脚付き野菜擦り下ろし器。
【請求項７】
脚部に回転軸を形成した請求項１〜６のいずれかに記載の脚付き野菜擦り下ろし器
【請求項８】
台座部の下側に、容器を嵌合させるための凹部又は凸部を形成した請求項１〜７に記載の野菜擦り下ろし器。
【発明の詳細な説明】
【発明の詳細な説明】
【技術分野】
【０００１】  本発明は大根や人参などを擦り下ろすための野菜擦り下ろし器に関する。
【背景技術】
【０００２】  従来、この種の野菜擦り下ろし器には、板状部材の表面にギザギザの刃を並べて付け、端部に擦り下ろした物を溜める皿状の窪みを有する物か、又は、板状部材にギザギザの刃を付け、更に刃に沿わせて複数の孔を開け、そこから板状部材の下側に取り付けた容器に擦り下ろす方法のものであった。これらの擦り下ろし器を使用する際は、擦り下ろした物を端部に形成された皿状の窪みか、下に取り付けられた容器に一度溜めてから、他の入れ物に移すやり方をしなくてはならなかった。又、窪みの無い板状の擦り下ろし器を使用して、直接入れ物に入れようとすると、擦り下ろし器を入れ物の縁に置いて擦り下ろすか、入れ物の上で浮かしながら擦り下ろさなくてはならず、又、縁に置いた場合には、擦り下ろす動作に連動して入れ物がひっくり返ったりする事があり、又、浮かした場合には固定して保持するのが大変であった。
【発明が解決しようとする課題】
【０００３】  本発明は、擦り下ろし器を入れ物から上側に離した状態で安定させて保持し、直接入れ物に擦り下ろす事ができるようにする事を課題とする。
【課題を解決するための手段】
【０００４】  上記課題を解決するために、本発明の第一の態様は、表面に亘って配置された、複数の刃を有する台座部と、該台座部に脚部と把持部を形成した脚付き野菜擦り下ろし器を提供する。
【発明を実施するための最良の形態】
【０００５】  以下、図面を参照しながら本発明の各種態様に係る脚付き野菜擦り下ろし器に関して説明する。以下の説明は、本発明の技術思想を具現化する幾つかの具体例を説明するものであり、本発明は以下の説明に限定されるものではない。【０００６】  図１は本発明の脚付き野菜擦り下ろし器を示す斜視図である。図１に示す脚付き野菜擦り下ろし器は表面に亘って凸状の小さな刃１が連続して配置されている台座部２があり、台座部２の片側端部の下側には脚部３が、反対側端部には側面方向に伸長して把持部４が形成されている。これを使用する際は、入れ物を板状部材２の片側下部に置き、板状部材２の刃１で擦り下ろした物を先端部より下の入れ物内に落とす。このようにする事で、直接簡単に入れ物にいれる事ができるのである。本発明では脚部３が形成されている事により入れ物の上側に離した状態で把持部４を安定させて保持できるため、擦り下ろし作業を極めて簡単に行う事ができるようになるのである。実施上、表面に亘って配置される刃１は野菜を擦り下ろす事のできるものであれば全て刃と見なす事ができる。又、台座部２は長手方向を軸にして軸を回転する方向に湾曲又は屈曲させても良いし、又、縁部を立ち上げて皿状に形成しても良い。この場合、端部の擦り下ろしたものを落とす部分は立ち上げない事が好ましい。又、脚部３に就いて云えば、脚部３は先端の幅が横方向で刃部の幅程度あることが好ましい。これは図１で示す二本の脚部３の間の幅を云う。それ以下では擦り下ろしの際に本器具を安定させる事が難しくなるからである。又、脚部３は入れ物を置く関係上、台座部２の先端部から適度な距離を隔てて形成されている事が好ましい。この場合、脚部３が台座部２の内側に形成されてあってもかまわない。又、脚部３は曲がっていても構わない。脚部３の高さは台座部２の底部から脚部３の底部まで、３ｃｍ以上有る事が好ましい。把持部４を形成する場合、台座部２の側面外部方向に伸張して形成されている。側面外部方向とは水平方向はもとより、斜め上方及び斜め下方も含まれる。斜め下方に伸張して、脚部と同じ高さに形成すれば脚部としても機能するので好ましい。又、ここで云う把持部とは握ることのできるものを云う。又、把持する方向は板状部材２の平面角度において縦、横、斜め、任意である。実施上、幅は３ｃｍ程度、長さは７〜１０ｃｍ程度である事が好ましい。【０００７】  図２は本発明の他の態様に係る脚付き野菜擦り下ろし器の形態を示す側面図である。図２に示す脚付き野菜擦り下ろし器は脚部３と把持部４を板状又は棒状部材５で連結して、台座部２を乗せる構造としたものである。このようにすると、台座部２の刃１の種類を変えたものを乗せ替える事ができるので、多くの種類を揃えた場合、場所を取らずに収納できる。【０００８】  図３は本発明の他の態様に係る脚付き野菜擦り下ろし器の形態を示す断面図である。図２に示す脚付き野菜擦り下ろし器は台座部２の端部に下方に伸びる板状部材から成る液止め部５を形成したものである。このようにすると、台座部２の端部から擦り下ろしたものを落とす際に汁が液止め部５の端部から下方に落ちるので、台座部の裏側に回ることを防ぐことができる。実施上、該液止め部５は台座部���の端部を斜め下方に伸張させても良いし、端部の裏側に板状又は棒状部材を下方に突き出した形で形成しても良い。又、液止め部５は台座部２の先端部に形成する事が好ましいが、先端部から２ｃｍ以内であれば良い。【０００９】  図４は本発明の他の態様に係る脚付き野菜擦り下ろし器の形態を示す側面図である。図４に示す脚付き野菜擦り下ろし器は把持部４の端部に脚部３が形成されている。このようにすると、台座部２の片側だけに脚部３を有するだけのものに比べ、置いた際により安定させる事ができる。実施上、脚部３は把持部４の端部に形成したほうが、下側に大きな入れ物を置くことができるので好ましい。又、図４では板状又は棒状部材から成る脚部３の軸線６を台座部２の上面７に対し９０°以上の角度８を有して外側に開いて形成している。その際、少なくとも脚部３の端部の内側が脚部３の真上に位置する台座部２又は／及び把持部４の先端部を通る台座部２の上面７と直交する線９よりも外側に形成されている。このようにする事で、本脚付き野菜擦り下ろし器を複数枚重ね合わせる場合、例えば重ねて運ぶ場合とか、陳列する場合などに、脚部３が台座部２の上面９と直交する形で形成されていると、重ね合わせる際、脚部３の先端が重ねようとする下側の台座部２及び／又は把持部４の上面に当たってしまい、重ね合わせる事ができないが、本発明のように形成する事で重ね合わせが可能となる。実施上、脚部３の内側全体が直交する線９より外側に位置する事が好ましい。又請求項６で台座部の上面又は上面の延長線としているのは、把持部４が斜め下方に傾斜して形成されているような場合、その傾斜角度が任意である点から、把持部４の上面との間では角度の設定ができず、このような場合、台座部２の上面との関係で角度を設定せざるを得ないところから、台座部上面の延長線としている。又、ここで台座部及び／又は把持部しているのは、台座部２と把持部４の両側をこのように形成しても良いし、片側だけでも効果を生じさせることができる事を示している。勿論、両側に形成したほうが、より効果が大きいことは云うまでも無い。又、ここで云う脚部３の軸線６とは、脚部３の付け根部と中央部の部材の内側を貫通し伸張する直線であって、且つ、付け根部と中央部の２点において、その幅および厚さの２方向から見て、共にその中央となる点を通る直線を云う。【００１０】  図５は本発明の他の態様に係る脚付き野菜擦り下ろし器の形態を示す正面図ａと側面図ｂである。図５に示す脚付き野菜擦り下ろし器は台座部２の両側端部に脚部３を形成したものである。このようにすると置いた際の安定性を増す事ができる。又、図５は上記と同じ考え方で、脚部３の先端を開いたものである。このようにしても、重ね合わせる際、上記と同様の効果を得る事ができる。【００１１】  図６は本発明の他の態様に係る脚付き野菜擦り下ろし器の構造を示す側面図である。図６に示す脚付き野菜擦り下ろし器は脚部３の台座部２及び把持部４との接合部分に回転軸１０を形成したものである。このようにすると、使用しない時には、脚部３を上側に折りたたむことができるので収納するのに場所を取らずにすむので都合が良い。実施上、回転軸１０の形成位置は脚部３の上側が好ましく、��６で示す把持部４との接合部に形成するのがコンパクトにする点から最も好ましい。又、図６で示すように脚部３の先端を開いて固定するように形成すると、上記で説明したように置いた際に安定性が増す事と、重ね合わせが可能となるので好ましい。回転軸１０を形成する場合、台座部２の両側に形成しても良いし、台座部２と把持部４に形成しても良いし、又は台座部２の片側だけに形成しても良い。又、先端部は外側に開いてある方が、擦る動きで脚部３が内側に滑り戻ることを防ぐ事ができる。【００１２】  図７は、本発明の他の態様に係る脚付き野菜擦り下ろし器と容器１１との取り合いを示す断面図ａとｂとｃである。図７−ａは台座部２の下部に凹部１２を形成し、容器１１の縁を曲げて、横方向に嵌合させたものである。このようにすると、二つの使い方が可能となり、より便利なものとなる。一つは上記で説明したように入れ物から離して入れるやり方ともう一つは容器１１と一体化させて使用する方法である。容器１１を取り付けた場合は、擦り下ろしの際、擦り下ろし器を動かしても容器１１に擦ったものを入れることができるし、又、入れ物が用意できない場合に便利である。ここで云う台座部２の下部とは台座部２の下側方向を示すものであり、脚部３及び把持部４の下側も範囲に含まれるものである。又、他の取り付け方法としては図７−ｂで示すように台座部２の下部に容器１１２の縁に沿って凸部１３を形成して容器１１の内側に嵌合させる事ができる。但しこれは凸部１３の脇にある凹部１２に嵌合していること取ることができる。又、図７−ｃで示すように容器１１の外側に嵌合しても良い。又ここで云う容器１１の縁に沿うと言うのは、連続している必要は無く断続していても良い。【００１３】  上記において、本発明の脚付き野菜擦り下ろし器の各部分の好ましい寸法に就いて言及したが、上記の説明に限定される事なく、形状、寸法，角度などは適宜経験的に決定する事ができる。また、材質に就いても同様、金属、セラミック、プラスチックなど、適宜経験的に決定できる。
【発明の効果】
【００１４】  本発明に係る脚付き野菜擦り下ろし器によれば、入れ物から上側に離した状態で安定させて保持し、直接入れ物に擦り下ろす事ができる。
【図面の簡単な説明】
【図１】  本発明の一態様に係る脚付き野菜擦り下ろし器の形態を示す斜視図である。
【図２】  本発明の他の態様に係る脚付き野菜擦り下ろし器の形態を示す側面図である。
【図３】  本発明の他の態様に係る脚付き野菜擦り下ろし器の形態を示す断面図である。
【図４】  本発明の他の態様に係る脚付き野菜擦り下ろし器の構造を示す側面図である。
【図５】  本発明の他の態様に係る脚付き野菜擦り下ろし器の形態を示す平面図と側面図である。
【図６】  本発明の他の態様に係る脚付き野菜擦り下ろし器の形態を示す側面図である。
【図７】  本発明の他の態様に係る脚付き野菜擦り下ろし器の構造を示す断面図である。
【符号の説明】
１    刃
２    台座部
３    脚部
４    把持部
５    液止め部
６    軸線
７    台座部の上面
８    角度
９    直交する線
１０  回転軸
１１  容器
１２  凹部
１３  凸部
【図１】
2005088181.tif 000003
【図２】
2005088181.tif 000004
【図３】
2005088181.tif 000005
【図４】
2005088181.tif 000006
【図５】
2005088181.tif 000007
【図６】
2005088181.tif 000008
【図７】
2005088181.tif 000009